(57)【要約】【課題】　引廻し配線の信頼性の低下や配線の短絡といった不具合を伴なうことなく額縁領域の狭小化を図る。【解決手段】　引廻し配線５７は背面側基板３０の面上に設けられている。引廻し配線５７は、シール材４０と重なった端部において観察側基板２０上のコモン電極２１と導通するとともに、背面側基板３０のうちシール材４０の内周縁によって囲まれた領域内において延在して張出領域３０ａに至る。この液晶装置１０においては、各引廻し配線５７と、複数のコモン電極２１のうち当該引廻し配線５７と導通するコモン電極２１以外のコモン電極２１との交差部分に位置する液晶に印加される電圧実効値が、画素をオフ状態とするために当該画素に印加される電圧実効値よりも低くなるように、デューティ比およびバイアス比が設定されている。【選択図】　　　　　　図１
2004133438.tif 000002
【特許請求の範囲】
【請求項１】
　シール材を介して対向配置された第１基板と第２基板との間に液晶を有し、前記第１基板に設けられた複数の第１電極と前記第２基板に設けられた複数の第２電極との交差に対応する画素を、前記第１電極と前記第２電極とに対する印加電圧に応じてオン状態またはオフ状態とする液晶装置において、
　前記第２基板に設けられて前記第１基板上の前記第１電極と導通し、前記シール材の内周縁によって囲まれた領域内において延在する部分を有する引廻し配線と、
　前記引廻し配線と、前記複数の第１電極のうち当該引廻し配線に導通する第１電極以外の第１電極との交差部分に位置する液晶に与えられる電圧実効値が、前記画素をオン状態とするために当該画素に印加される電圧実効値よりも低くなるように、前記引廻し配線を介して前記第１電極に電圧を印加する駆動回路と
　を具備することを特徴とする液晶装置。
【請求項２】
　前記交差部分に位置する液晶に与えられる電圧実効値が、前記画素をオン状態とするために当該画素に印加される電圧実効値よりも低くなるように、デューティ比およびバイアス比の少なくとも一方が決定されている
　ことを特徴とする請求項１に記載の液晶装置。
【請求項３】
　前記駆動回路は、前記交差部分に位置する液晶に与えられる電圧実効値が、前記画素をオフ状態とするときに当該画素に印加される電圧実効値よりも低くなるように、前記引廻し配線を介して前記第１電極に電圧を印加する
　ことを特徴とする請求項１または２に記載の液晶装置。
【請求項４】
　前記駆動回路は、前記交差部分に位置する液晶に与えられる電圧実効値が、前記画素をオン状態とするときに当該画素に印加される電圧実効値と前記画素をオフ状態とするときに当該画素に印加される電圧実効値との中間値よりも低くなるように、前記引廻し配線を介して前記第１電極に電圧を印加する
　ことを特徴とする請求項１または２に記載の液晶装置。
【請求項５】
　前記引廻し配線と、前記複数の第１電極のうち当該引廻し配線に導通する第１電極以外の第１電極との交差部分と重なるように前記第１基板および前記第２基板の一方に設けられた遮光層
　を具備することを特徴とする請求項１から４のいずれかに記載の液晶装置。
【請求項６】
　請求項１から５のいずれかに記載の液晶装置を備える電子機器。
【請求項７】
　シール材を介して対向配置されて液晶を挟持する第１基板および第２基板と、前記第１基板に設けられた複数の第１電極と、前記第２基板に設けられた複数の第２電極と、前記第２基板に設けられて前記第１基板上の前記第１電極と導通し、前記シール材の内周縁によって囲まれた領域内において延在する部分を有する引廻し配線とを有する液晶装置において、前記第１電極と前記第２電極との交差に対応する画素を、当該第１電極と当該第２電極とに対する印加電圧に応じてオン状態またはオフ状態とする駆動方法であって、
　前記引廻し配線と、前記複数の第１電極のうち当該引廻し配線に導通する第１電極以外の第１電極との交差部分に位置する液晶に与えられる電圧実効値が、前記画素をオン状態とするために当該画素に印加される電圧実効値よりも低くなるように、前記引廻し配線を介して前記第１電極に電圧を印加する
　ことを特徴とする液晶装置の駆動方法。
【請求項８】
　前記交差部分に位置する液晶に与えられる電圧実効値が、前記画素をオン状態とするために当該画素に印加される電圧実効値よりも低くなるように決定されたデューティ比およびバイアス比のもとで前記第１電極に電圧を印加する
　ことを特徴とする請求項７に記載の液晶装置の駆動方法。
【請求項９】
　前記交差部分に位置する液晶に与えられる電圧実効値が、前記画素をオフ状態とするときに当該画素に印加される電圧実効値よりも低くなるように、前記引廻し配線を介して前記第１電極に電圧を印加する
　ことを特徴とする請求項７または８に記載の液晶装置の駆動方法。
【請求項１０】
　前記交差部分に位置する液晶に与えられる電圧実効値が、前記画素をオン状態とするときに当該画素に印加される電圧実効値と前記画素をオフ状態とするときに当該画素に印加される電圧実効値との中間値よりも低くなるように、前記引廻し配線を介して前記第１電極に電圧を印加する
　ことを特徴とする請求項７または８に記載の液晶装置の駆動方法。
【発明の詳細な説明】
【技術分野】
【０００１】
　本発明は、液晶装置およびその駆動方法、ならびに当該液晶装置を備えた電子機器に関する。
【背景技術】
【０００２】
　携帯電話機をはじめとする各種の電子機器の表示装置として液晶装置が広く用いられている。周知のように、液晶装置は、シール材を介して貼り合わされた一対の基板の間に液晶を有する構成が一般的である。各基板のうち他方の基板と対向する面には電極が形成されている。この電極には、当該電極と導通する引廻し配線を介して、表示すべき画像に応じた電圧が印加されるようになっている。
【０００３】
　さらに、両基板の電極に接続される引廻し配線が、一方の基板上に集約するように形成された構成も提案されている（例えば特許文献１参照）。図１７はこの種の液晶装置の構成を示す平面図である。同図に示す液晶装置８０においては、背面側基板８１の一部が観察側基板８２の周縁から張り出しており、この張り出した領域に駆動用ＩＣチップ８３が実装されている。背面側基板８１における液晶との対向面には複数のセグメント電極８１１がストライプ状に形成されており、各セグメント電極８１１は引廻し配線８１２を介して駆動用ＩＣチップ８３の出力端子に接続されている。一方、観察側基板８２における液晶との対向面には複数のコモン電極８２１がストライプ状に形成されている。各コモン電極８２１は、シール材８４に分散された導電性粒子を介して、背面側基板８１に設けられた引廻し配線８１３と導通している。各引廻し配線８１３は、背面側基板８１のうちシール材８４の外側の領域において延在し、端部が駆動用ＩＣチップ８３の出力端子に接続されている。この構成によれば、駆動用ＩＣチップ８３を背面側基板８１のみに実装すれば足りるから、双方の基板に駆動用ＩＣチップを実装した液晶装置と比較して構成の簡素化を図ることができる。
【０００４】
【特許文献１】特開２００２−２２９０５０号公報（第５頁、第６頁、第１図）
【発明の開示】
【発明が解決しようとする課題】
【０００５】
　しかしながら、図１７に示した構成のもとでは、引廻し配線８１３が配置される領域をシール材８４の外側に確保する必要があるため、シール材８４外側の表示に寄与しない領域（以下「額縁領域」という）を狭小化するには限界があるのが現状であった。近年における表示の高精細化の要求に応えるべく画素数の増加を図ろうとする場合には引廻し配線８１３の本数も増加させざるを得ないから、額縁領域の狭小化はいっそう困難となる。
【０００６】
　一方、図１７に示した構成のもとで額縁領域の狭小化を図るために引廻し配線８１３のピッチを小さくすることも考えられる。しかしながら、この場合には引廻し配線８１３の抵抗値が増大し、これに起因して表示品位の低下を招くおそれがある。さらに、図１７に示した構成にあっては引廻し配線８１３が外気に触れることとなるため、外気中の水分の付着などに起因して引廻し配線８１３の短絡や腐食などが生じるといった問題もある。
【０００７】
　本発明はこれらの課題を解決するためになされたものであって、引廻し配線の信頼性の低下や配線の短絡といった不具合を伴なうことなく額縁領域の狭小化を図ることができる液晶装置およびその駆動方法、ならびにこの液晶装置を備えた電子機器を提供することを目的としている。
【課題を解決するための手段】
【０００８】
　上記課題を解決するために、本発明は、シール材を介して対向配置された第１基板と第２基板との間に液晶を有し、前記第１基板に設けられた複数の第１電極と前記第２基板に設けられた複数の第２電極との交差に対応する画素を、前記第１電極と前記第２電極とに対する印加電圧に応じてオン状態またはオフ状態とする液晶装置において、前記第２基板に設けられて前記第１基板上の前記第１電極と導通し、前記シール材の内周縁によって囲まれた領域内において延在する部分を有する引廻し配線と、前記引廻し配線と、前記複数の第１電極のうち当該引廻し配線に導通する第１電極以外の第１電極との交差部分に位置する液晶に与えられる電圧実効値が、前記画素をオン状態とするために当該画素に印加される電圧実効値よりも低くなるように、前記引廻し配線を介して前記第１電極に電圧を印加する駆動回路とを具備する。
【０００９】
　この構成によれば、コモン電極と導通する引廻し配線がシール材の内周縁によって囲まれた領域内において延在するようになっているため、基板のうちシール材の外側に位置する領域に引廻し配線が設けられた従来の液晶装置と比較して額縁領域を狭めることができる。しかも、引廻し配線のうちシール材の内周縁によって囲まれた領域内に位置する部分は外気に触れることがないから、外気中の水分などの付着に起因した引廻し配線の短絡や腐食を防止して信頼性を高めることができる。
【００１０】
　ところで、本発明のように引廻し配線がシール材の外周縁によって囲まれた領域内において延在する構成を採った場合には、引廻し配線と、複数の第１電極のうち引廻し配線に導通する第１電極以外の第１電極とが平面的に交差することとなる。この構成のもとで、例えば複数の第１電極に対して順次に走査信号を供給すると、液晶を挟んで対向する引廻し配線と第１電極との間に電圧が印加されるため、この交差部分の液晶の配向状態が変化させられる（すなわち点灯する）。このため、本来ならば点灯すべきでない交差部分が点灯してしまうという問題が生じ得る。
【００１１】
　そこで、本発明においては、引廻し配線と、複数の第１電極のうち当該引廻し配線に導通する第１電極以外の第１電極との交差部分に位置する液晶に与えられる電圧実効値が、画素をオン状態とするために当該画素に印加される電圧実効値よりも低くなるように、引廻し配線を介して前記第１電極に電圧が印加されるようになっている。この構成によれば、引廻し配線と第１電極との上記交差部分に対して、画素をオン状態とするために当該画素に印加される電圧実効値よりも高い電圧実効値が印加される場合と比べて、当該交差部分の点灯を目立たなくすることができる。
【００１２】
　ここで、交差部分への電圧実効値を上述した値に設定する方法としては、デューティ比およびバイアス比の少なくとも一方を適宜に選定することが考えられる。ここで、本発明者は、バイアス比（１／ａ）の逆数ａを小さくするにつれて、上記交差部分への電圧実効値が小さくなるという知見を得るに至った。このことに鑑みれば、上記交差部分への電圧実効値が画素をオン状態とするために当該画素に印加される電圧実効値よりも小さくなるように、バイアス比（１／ａ）の逆数ａを小さくすればよい。
【００１３】
　また、上述した交差部分の点灯をより目立たないものにするという観点からすると、本発明においては、前記交差部分に位置する液晶に与えられる電圧実効値が、画素をオン状態とするときに当該画素に印加される電圧実効値と比較して、より小さいことが望ましい。具体的には、前記駆動回路は、前記交差部分に位置する液晶に与えられる電圧実効値が、前記画素をオン状態とするときに当該画素に印加される電圧実効値と前記画素をオフ状態とするときに当該画素に印加される電圧実効値との中間値よりも低くなるように、前記引廻し配線を介して前記第１電極に電圧を印加することが望ましい。さらに、交差部分の点灯を確実に回避するために、前記駆動回路は、前記交差部分に位置する液晶に与えられる電圧実効値が、前記画素をオフ状態とするときに当該画素に印加される電圧実効値よりも低くなるように、前記引廻し配線を介して前記第１電極に電圧を印加することが望ましい。こうすれば、交差部分に位置する液晶の配向状態はほとんど変化しないから、この部分の点灯をほぼ完全に回避することができる。
【００１４】
　ここで、本発明に係る液晶装置においては、引廻し配線と、複数の第１電極のうち当該引廻し配線に導通する第１電極以外の第１電極との交差部分と重なるように第１基板および第２基板の一方に設けられた遮光層を設けてもよい。こうすれば、引廻し配線と第１電極との交差部分に印加される電圧実効値を上述した各値に設定して当該交差部分の点灯を回避するという構成と相俟って、さらに交差部分の点灯を目立たなくすることができる。
【００１５】
　一方、本発明に係る電子機器は、本発明に係る液晶装置を表示装置として備えたことを特徴としている。上述したように、本発明に係る液晶装置によれば額縁領域の狭小化を図ることができるから、これを電子機器の表示装置として採用すれば、当該電子機器の小型化を図ることができる。しかも、引廻し配線と、当該引廻し配線と導通する第１電極以外の第１電極とが交差する構成を採用しているにもかかわらず、この交差部分の点灯を抑えることができる。本発明を適用し得る電子機器としては、例えばパーソナルコンピュータや携帯電話機など、画像を表示する機能を備えた種々の電子機器が考えられる。
【００１６】
　また、本発明に係る液晶装置の駆動方法は、シール材を介して対向配置されて液晶を挟持する第１基板および第２基板と、前記第１基板に設けられた複数の第１電極と、前記第２基板に設けられた複数の第２電極と、前記第２基板に設けられて前記第１基板上の前記第１電極と導通し、前記シール材の内周縁によって囲まれた領域内において延在する部分を有する引廻し配線とを有する液晶装置において、前記第１電極と前記第２電極との交差に対応する画素を、当該第１電極と当該第２電極とに対する印加電圧に応じてオン状態またはオフ状態とする駆動方法であって、前記引廻し配線と、前記複数の第１電極のうち当該引廻し配線に導通する第１電極以外の第１電極との交差部分に位置する液晶に与えられる電圧実効値が、前記画素をオン状態とするために当該画素に印加される電圧実効値よりも低くなるように、前記引廻し配線を介して前記第１電極に電圧を印加することを特徴としている。この方法によれば、本発明に係る液晶装置について上述したのと同様の理由により、シール材の内側領域に引廻し配線を延在させて狭小化を図った液晶装置にもかかわらず、引廻し配線と第１電極との交差部分における点灯を目立たなくすることができる。
【発明の効果】
【００１７】
　以上説明したように、本発明によれば、引廻し配線の信頼性の低下や配線の短絡といった不具合を伴なうことなく額縁領域の狭小化を図ることができる。
【発明を実施するための最良の形態】
【００１８】
　以下、図面を参照して本発明の実施の形態を説明する。もっとも、以下に示す形態は本発明の一態様を示すものに過ぎない。したがって、本発明は以下の形態に限定されることなく、その技術的思想の範囲内で任意に変更可能である。なお、以下に示す各図においては、図面が煩雑になるのを防ぐために各構成要素の寸法や比率などを実際のものとは適宜に異ならせてある。
【００１９】
＜Ａ：液晶装置の構成＞
　まず、図１を参照して、本発明の実施形態に係る液晶装置の構成を説明する。同図に示すように、この液晶装置１０は、観察側基板２０と背面側基板３０とが略長方形枠状のシール材４０を介して貼り合わされるとともに、両基板とシール材４０とによって囲まれた空間に液晶が封止された構成となっている。すなわち、シール材４０の一部に開口した液晶注入口４０ａから両基板間に液晶が注入され、この後に液晶注入口４０ａが封止材４５によって封止されている。なお、実際には、観察側基板２０および背面側基板３０の外側表面に、入射光を偏光させるための偏光板や干渉色を補償するための位相差板などが適宜に貼着されるが、図１および以下に示す各図においてはその図示が省略されている。
【００２０】
　シール材４０は導通シール部４１と非導通シール部４２とからなる。このうち導通シール部４１は、略長方形状をなすシール材４０のうちｙ軸方向に延びる二辺（すなわち相互に対向する二つの長辺）を構成する部分である。この導通シール部４１は導電性粒子が分散された部分であり、液晶を両基板間に保持する本来のシール材としての役割のほか、両基板に設けられた電極同士を導電性粒子によって上下導通させるための役割も担っている。一方、非導通シール部４２は、シール材４０のうちｘ軸方向に延びる二辺（相互に対向する二つの短辺）を構成する部分である。この非導通シール部４２には導電性粒子は分散されていない。
【００２１】
　観察側基板２０および背面側基板３０は光透過性を有する板状部材であり、例えばガラスやプラスチックなどにより形成されている。このうち背面側基板３０は観察側基板２０よりも外形寸法が大きく、したがって背面側基板３０は観察側基板２０のひとつの縁辺から張り出した部分を有する。この張り出した領域（以下「張出領域」という）３０ａには、駆動用ＩＣチップ５０がＣＯＧ（Chip On Glass）技術によって実装されている。駆動用ＩＣチップ５０は、液晶に電圧を印加するための電極（後述するコモン電極２１およびセグメント電極３１）に対して表示すべき画像に応じた信号を供給するための回路を備えている。さらに、張出領域３０ａには、駆動用ＩＣチップ５０が実装された領域から背面側基板３０の縁辺に至る複数の接続端子５３が設けられている。この接続端子５３は、一端が駆動用ＩＣチップ５０の入力端子に接続される一方、背面側基板３０の縁辺近傍に位置する他端が、フレキシブル配線基板（図示略）を介してプリント基板などの外部機器と接続されている。
【００２２】
　図２は、図１におけるＡ−Ａ'線からみた断面のうちシール材４０によって囲まれた領域内の構成を拡大して示す断面図である。図１および図２に示すように、観察側基板２０の内側（液晶４７側）にはｘ軸方向に延在する複数のコモン電極２１が設けられている。これらのコモン電極２１は各々が相互に離間して形成された帯状の電極であり、例えばＩＴＯ（Indium Tin Oxide）などの透明導電材料によって形成されている。一方、背面側基板３０の内側（液晶４７側）表面にはコモン電極２１と交差する方向、すなわち図中のｙ軸方向に延在する複数のセグメント電極３１が設けられている。これらのセグメント電極３１は各々が相互に離間して形成された帯状の電極であり、反射導電層３１１と、この反射導電層３１１の表面および幅方向の側端面を覆う透明導電層３１２とを有する。このうち反射導電層３１１は光反射性を有する導電性の薄膜であり、アルミニウムや銀などの単体金属やこれらの金属を主成分として含有する合金（例えば銀、パラジウムおよび銅の合金）などによって形成されている。一方、透明導電層３１２は、コモン電極２１と同様にＩＴＯなどの透明導電材料によって形成されている。図１に示すように、セグメント電極３１は、一端が引廻し配線５５に接続されている。この引廻し配線５５はｙ軸方向に延在して張出領域３０ａに至り、その端部が駆動用ＩＣチップ５０の出力端子に接続されている。この構成のもと、駆動用ＩＣチップ５０から出力されたデータ信号は、引廻し配線５５を介してセグメント電極３１に供給される。
【００２３】
　また、図２に示すように、コモン電極２１およびセグメント電極３１は、それぞれ配向膜２３および３３によって覆われている。配向膜２３および３３はポリイミドなどによって形成された有機薄膜であり、電圧が印加されていないときの液晶４７の配向方向を規定するためのラビング処理が施されている。
【００２４】
　この構成のもと、観察側基板２０と背面側基板３０とによって挟持された液晶４７は、コモン電極２１とセグメント電極３１との間に印加された電圧に応じてその配向方向が変化する。以下では、コモン電極２１とセグメント電極３１とが対向する領域、すなわち液晶４７の配向方向が印加電圧に応じて変化させられる最小単位たる領域を「サブ画素」と表記する。図１からも明らかな通り、複数のサブ画素は、基板面と平行な面内でｘ軸方向およびｙ軸方向にわたってマトリクス状に配列する。
【００２５】
　図２に示すように、セグメント電極３１を構成する反射導電層３１１には、各サブ画素ごとに透光部３１１ａが設けられている。透光部３１１ａは、液晶装置１０に対して背面側から入射した光を観察側に通過させるために開口した部分である。すなわち、液晶装置１０の背面側に配置されたバックライトユニット（図示略）から出射した光は、反射導電層３１１の透光部３１１ａを通って観察側に出射する。この光が観察者に視認されることによって透過型表示がなされるのである。これに対し、観察側から液晶装置１０に入射した室内照明光や太陽光などの外光は反射導電層３１１の表面において反射する。この反射光が観察側に出射して観察者に視認されることによって反射型表示が実現される。
【００２６】
　一方、観察側基板２０の内側表面には、カラーフィルタ２５、遮光層２６およびオーバーコート層２７が設けられている。上述したコモン電極２１および配向膜２３は、観察側基板２０のほぼ全面を覆うオーバーコート層２７の上面に設けられている。このオーバーコート層２７は、カラーフィルタ２５と遮光層２６との段差を平坦化するための層である。
【００２７】
　カラーフィルタ２５は各サブ画素に対応して形成された樹脂層であり、染料や顔料によって赤色（Ｒ）、緑色（Ｇ）および青色（Ｂ）のうちのいずれかに着色されている。そして、赤色、緑色および青色の３色のカラーフィルタにそれぞれ対応する３つのサブ画素によって、表示画像の最小単位であるひとつの画素（ドット）が構成される。一方、遮光層２６は、マトリクス状に配列する各サブ画素の間隙部分（すなわちコモン電極２１とセグメント電極３１とが対向する領域以外の領域）と重なるように格子状に形成され、各サブ画素同士の隙間を遮光する役割を担っている。
【００２８】
　次に、図３および図４を参照してシール材近傍の構成を説明する。図３は図１において符号Ｄが付された円内の構成を拡大して示す図であり、図４は図１におけるＡ−Ａ'線からみた断面のうちシール材４０近傍の構成を拡大して示す断面図である。図３におけるＢ−Ｂ'線からみた断面図が図４に相当する。これらの図および図１に示すように、複数のコモン電極２１は、その両端がシール材４０の導通シール部４１と重なるように延在している。そして、各コモン電極２１は、シール材４０中の導電性粒子４３を介して、背面側基板３０上に設けられた引廻し配線５７１と導通するようになっている。より具体的には、図１における上半分のコモン電極２１は、図３に示すように、それぞれ右端（ｘ軸方向の正側に位置する端部）が導電性粒子４３を介して引廻し配線５７１と電気的に導通している。この引廻し配線５７１は、一端がシール材４０の導通シール部４１を挟んでコモン電極２１の端部と対向するとともに、シール材４０によって囲まれた領域内においてｙ軸方向に延在し、他端が張出領域３０ａに至るように形成されている。この張出領域３０ａに至った引廻し配線５７の端部は、駆動用ＩＣチップ５０の出力端子に接続される。一方、図１に示す下半分のコモン電極２１は、図１に示すように、それぞれ左端（ｘ軸方向の負側に位置する端部）がシール材４０の導通シール部４１に分散された導電性粒子４３を介して引廻し配線５７２と電気的に導通している。この引廻し配線５７２は、引廻し配線５７１と同様に、背面側基板３０のうちシール材４０によって囲まれた領域内においてｙ軸方向に延在して張出領域３０ａに至り、その端部が駆動用ＩＣチップ５０の出力端子に接続されている。図４に示すように、引廻し配線５７１および５７２は、セグメント電極３１と同様に反射性を有する金属によって形成された反射導電層と透明導電材料によって形成された透明導電層とが積層された構成となっている。以上の構成のもと、駆動用ＩＣチップ５０から出力された走査信号は、引廻し配線５７１または５７２とシール材４０中の導電性粒子４３とを介してコモン電極２１に供給される。
【００２９】
　以上説明した構成によれば、引廻し配線５７１および５７２がシール材４０の内側を経由して張出領域３０ａに至るように形成されているため、引廻し配線５７１および５７２をシール材４０の外側に形成した図１７の構成と比較して額縁領域の狭小化を図ることができるという利点がある。すなわち、背面側基板３０のうちシール材４０外側に位置する周縁部分としては、たかだかシール材４０の印刷時のマージン（例えば０．３ｍｍ程度）を確保すれば足り、額縁領域に相当するスペースを確保する必要はない。
【００３０】
　ところで、本実施形態に係る液晶装置１０においては、シール材４０近傍に位置する部分、より具体的にはコモン電極２１と引廻し配線５７１または５７２とが平面的に交差する部分（例えば図３において符号Ｆで示される円で囲まれた部分。以下では単に「交差部分Ｆ」という）が、本来ならば点灯すべきではないにもかかわらず点灯するという現象が生じ得る。以下、この現象（以下「クロスライン点灯」という）について詳述する。なお、以下では、引廻し配線５７１と引廻し配線５７２とを特に区別する必要がない場合には、両者を総称して「引廻し配線５７」と表記する。
【００３１】
　いま、図５に信号波形を示す走査信号が各コモン電極２１に引廻し配線５７を介して供給されるものとする。すなわち、奇数番目のフレーム（垂直走査期間）Ｔｆにおける第ｎ本目のコモン電極２１への印加電圧は、そのフレームの第ｎ番目の選択期間（水平走査期間）Ｔｈにおいて電圧Ｖ0となる一方、非選択期間（すなわち第ｎ本目以外のコモン電極２１の選択期間）においては電圧Ｖ4となる。他方、偶数番目のフレームＴｆにおいては印加電圧の極性が奇数番目のフレームにおける印加電圧に対して反転し、選択期間Ｔｈにおいて電圧Ｖ5が印加されるとともに非選択期間において電圧Ｖ1が印加される。また、セグメント電極３１に供給されるデータ信号の電圧レベルは、表示すべき画像に応じて、奇数番目のフレームにおいて電圧Ｖ3および電圧Ｖ5のいずれかとなる一方、偶数番目のフレームにおいて電圧Ｖ0または電圧Ｖ2のいずれかとなる。
【００３２】
　ここで、図１における上から第ｎ本目のコモン電極２１に対して電圧Ｖ0が印加されているとき（すなわち第ｎ本目のコモン電極２１が選択されているとき）、第（ｎ＋１）本目以降のコモン電極２１には電圧Ｖ4が印加されている。したがって、第ｎ本目のコモン電極２１に接続された引廻し配線と、第（ｎ＋１）本目以降のコモン電極２１の各々との交差部分Ｆに位置する液晶４７には｜Ｖ0−Ｖ4｜なる電圧が印加されることとなる。そしてこの結果、本来ならば点灯すべきではない交差部分Ｆにおいてクロスライン点灯が発生し得るのである。
【００３３】
　本実施形態においては、このクロスライン点灯の発生を防止するために、交差部分Ｆに位置する液晶４７に対して１フレーム内に印加される電圧の実効値（以下「クロス部電圧実効値」という）Ｖcrossが、サブ画素をオフ状態とするときに当該サブ画素に印加される電圧実効値Ｖoffよりも小さくなるように、デューティ比およびバイアス比が決定されている。詳述すると以下の通りである。
【００３４】
　いま、走査信号を図５に示した電圧波形としたとき、サブ画素をオン状態とするために当該サブ画素の液晶４７に対して１フレーム内に印加される電圧実効値（以下「オン時電圧実効値」という）Ｖon、サブ画素をオフ状態とするときに当該サブ画素の液晶４７に１フレーム内に印加される電圧実効値（以下「オフ時電圧実効値」という）Ｖoff、および上述したクロス部電圧実効値Ｖcrossは、以下の式によって表される。
【００３５】
【数１】
2004133438.tif 000003
【００３６】
　これらの式において、“Ｎ”はデューティ比（１／Ｎ）の逆数（すなわちデューティ数）である。すなわち、デューティ比（１／Ｎ）は一般に、各コモン電極２１の選択期間の時間長Ｔｈと１フレームの時間長Ｔｆとの比（Ｔｈ／Ｔｆ）として定義されるが、上式における“Ｎ”はこのデューティ比（１／Ｎ）の逆数を示している。一方、上式における“ａ”はバイアス比（１／ａ）の逆数である。以下では、この“ａ”を「バイアス数」と表記する。すなわち図６に示すように、選択期間においてサブ画素をオン状態とするときにコモン電極２１に印加される走査信号の波高値の絶対値と、セグメント電極３１に印加されるデータ信号の波高値の絶対値との和（液晶駆動電圧）をＶopとし、非選択期間において当該サブ画素の液晶４７に印加される電圧の絶対値をＶxとしたときに、バイアス数ａ＝Ｖop／Ｖxと定義される。
【００３７】
　ここで、図７は、デューティ数Ｎおよびバイアス数ａをそれぞれ異なる数値としたときに上述した式（１）から式（３）によって求められたオン時電圧実効値Ｖon、オフ時電圧実効値Ｖoffおよびクロス部電圧実効値Ｖcrossの具体的な数値を示す表である。また、図８はこの表の内容に従ってオン時電圧実効値Ｖon、オフ時電圧実効値Ｖoffおよびクロス部電圧実効値Ｖcrossをプロットしたグラフである。図８においては、オン時電圧実効値Ｖonとオフ時電圧実効値Ｖoffとの比（Ｖon／Ｖoff）が横軸とされており、電圧実効値が縦軸とされている。また、特性Ａはデューティ数Ｎを「１６０」としたときの特性を、特性Ｂはデューティ数Ｎを「１３２」としたときの特性を、特性Ｃはデューティ数Ｎを「８０」としたときの特性を、特性Ｄはデューティ数Ｎを「６０」としたときの特性を、それぞれ示している。
【００３８】
　図７の表および図８のグラフと上述した式（３）によると、デューティ比（１／Ｎ）を一定とすればバイアス数ａを小さくするにつれてクロス部電圧実効値Ｖcrossも小さくなり、特定のバイアス数ａ（またはバイアス比１／ａ）を採ったときにクロス部電圧実効値Ｖcrossがオフ時電圧実効値Ｖoffよりも小さくなることが判る。例えば図８において特性Ａとして示されるように、デューティ数Ｎが「１６０」のときにバイアス数ａを「１２」とすれば、クロス部電圧実効値Ｖcrossはオフ時電圧実効値Ｖoffよりも小さくなる。同様に、デューティ数Ｎが「１３２」のときバイアス数ａを「１１」とし、デューティ数Ｎが「８０」のときバイアス数ａを「８」とし、デューティ数Ｎが「６０」のときバイアス数ａを「７」とすれば、クロス部電圧実効値Ｖcrossはオフ時電圧実効値Ｖoffよりも小さくなる。
【００３９】
　本実施形態に係る液晶装置１０においては、これらの点を考慮したうえでクロス部電圧実効値Ｖcrossがオフ時電圧実効値Ｖoffよりも小さくなるように、デューティ比（またはデューティ数）およびバイアス比（またはバイアス数）が設定されているのである。この駆動方法のもとでは、交差部分Ｆに位置する液晶４７の配向状態は、サブ画素をオフ状態とするときと同様にほとんど変化しない。したがって、本実施形態によれば、コモン電極２１と引廻し配線５７とが交差する構成のもとにあってもクロスライン点灯が回避されるのである。
【００４０】
　ところで、表示画像のコントラストを高い水準に維持するという観点のみから考えると、オン時電圧実効値Ｖonとオフ時電圧実効値Ｖoffとの比（Ｖon／Ｖoff）を最大とすることが望ましい。そして、この実効値比（Ｖon／Ｖoff）を最大とするバイアス数ａは、以下の式（４）によって与えられることが最適バイアス法として知られている。
【００４１】
【数２】
2004133438.tif 000004
　この式によれば、図７および図８に示したそれぞれのデューティ数Ｎのもとで実効値比（Ｖon／Ｖoff）を最大とするバイアス数ａ0は以下の通りとなる。すなわち、デューティ数Ｎが「１６０」のとき最適バイアス数ａ0は「１３．６４９」となり、デューティ数Ｎが「１３２」のとき最適バイアス数ａ0は「１２．４８９」となり、デューティ数Ｎが「８０」のとき最適バイアス数ａ0は「９．９４４」となり、デューティ数Ｎが「６０」のとき最適バイアス数ａ0は「８．７４６」となる。しかしながら、図７および図８からも明らかな通り、バイアス数ａを最適バイアス数ａ0としたときには、クロス部電圧実効値Ｖcrossがオフ時電圧実効値Ｖoffよりも大きくなるため、クロスライン点灯を完全に回避することはできない。本実施形態においては、バイアス数ａを最適バイアス数ａ0よりも敢えて小さくすることによって、クロス部電圧実効値Ｖcrossをオフ時電圧実効値Ｖoffよりも小さくしているのである。
【００４２】
　しかしながら、バイアス数ａを上述した最適バイアス数ａ0と比較してあまりに小さくすると、表示画像のコントラストの低下が看過し得ないものとなる。これらの事情を考慮すると、本実施形態におけるバイアス数ａは、クロス部電圧実効値Ｖcrossがオフ時電圧実効値Ｖoffよりも小さくなるときのバイアス数ａの数値から、表示画像のコントラストが一定の水準以上となる（すなわち実効値比（Ｖon／Ｖoff）が一定以上の大きさとなる）ときのバイアス数ａの数値までの範囲内において選定されることが望ましいといえる。換言すると、バイアス数ａがこの範囲内の数値となるようにバイアス比（１／ａ）を選定することが望ましい。
【００４３】
＜Ｂ：その他の駆動方法＞
　以上の形態においては図５に示した走査信号をコモン電極２１に供給する場合を例示したが（以下ではこの駆動方法を「第１の駆動方法」という）、その他の信号波形を有する走査信号をコモン電極２１に供給する以下の駆動方法においても、デューティ比（１／Ｎ）またはバイアス比（１／ａ）を適宜に選定することによってクロス部電圧実効値Ｖcrossをオフ時電圧実効値よりも低くしてクロスライン点灯を回避することができる。以下、第１の駆動方法とは異なる第２および第３の駆動方法のもとでクロスライン点灯を回避する構成を説明する。なお、以下に示す第２および第３の駆動方法のいずれを採る場合であっても、液晶装置１０の構成自体は図１に示したものと同様である。
【００４４】
＜Ｂ−１：第２の駆動方法＞
　図９は、液晶装置１０を第２の駆動方法によって駆動するときに第ｎ本目および第（ｎ＋１）本目のコモン電極２１に供給される走査信号の信号波形を示すタイミングチャートである。同図に示すように、本駆動方法においては、各コモン電極２１に対して、当該コモン電極２１が選択される選択期間において電圧＋Ｖ1または−Ｖ1のいずれかが印加される一方、その他の期間（すなわち他のコモン電極２１が選択される期間）において電圧Ｖcが印加される。また、セグメント電極３１には、電圧＋Ｖ2または−Ｖ2のいずれかが印加されるようになっている。ここで、電圧＋Ｖ1と電圧−Ｖ1との中間電位は、電圧＋Ｖ2と電圧−Ｖ2との中間電位Ｖcと一致している。
【００４５】
　この駆動方法において、オン時電圧実効値Ｖon、オフ時電圧実効値Ｖoffおよびクロス部電圧実効値Ｖcrossは以下の式で与えられる。
【００４６】
【数３】
2004133438.tif 000005
【００４７】
　図１０に示すように、上記式（５）から式（７）に含まれる電圧Ｖopは走査信号の振幅値に相当し、電圧Ｖxはデータ信号の波高値に相当する。そして、この駆動方法におけるバイアス数ａは、ａ＝（Ｖop／２）／Ｖxとして定義される。換言すれば、バイアス数ａは、走査信号の波高値の絶対値（Ｖop／２）をデータ信号の波高値（Ｖx）で除した値となる。また、バイアス比（１／ａ）がバイアス数ａの逆数であることは上述した通りであるから、本駆動方法におけるバイアス比（１／ａ）がＶx／（Ｖop／２）で与えられることは言うまでもない。
【００４８】
　この構成のもとでも、図７および図８を例にとって説明したのと同様に、バイアス数ａが小さくなるにつれてクロス部電圧実効値Ｖcrossも小さくなる。したがって、本駆動方法を採用した場合にも、デューティ数Ｎ（またはデューティ比）およびバイアス数ａ（またはバイアス比）を適宜に選定することによって、クロス部電圧実効値Ｖcrossをオフ時電圧実効値Ｖoffよりも小さくすることができる。そして、この条件（Ｖcross＜Ｖoff）を満たすように選定されたデューティ数Ｎおよびバイアス数ａのもとでサブ画素をオン状態またはオフ状態に駆動する構成とすれば、コモン電極２１と引廻し配線５７との交差部分Ｆにおけるクロスライン点灯を回避することができる。
【００４９】
＜Ｂ−２：第３の駆動方法＞
　第３の駆動方法は、複数のコモン電極２１を同時に選択する複数ライン同時選択法（ＭＬＳ：Multi-Line Selection）である。この駆動方法において各コモン電極２１に供給される走査信号は、例えば図１１に示す信号波形となる。図１１においては、１フレームを４等分した期間であるフィールドの各々において４本のコモン電極２１が同時に選択される場合を想定している。このとき、データ信号の電圧レベルは、表示すべき画像に応じて電圧Ｖ1、Ｖ2、Ｖc、Ｖm1およびＶm2のいずれかとなる。ここで、電圧Ｖ2は電圧Ｖ1の２倍の電圧であり、電圧Ｖm2は電圧Ｖm1の２倍の電圧であり、なおかつ電圧Ｖm1および電圧Ｖm2は、電圧Ｖcを基準として電圧Ｖ1および電圧Ｖ2の極性を反転させた関係にある。
【００５０】
　この駆動方法において、オン時電圧実効値Ｖon、オフ時電圧実効値Ｖoffおよびクロス部電圧実効値Ｖcrossは以下の式で与えられる。
【００５１】
【数４】
2004133438.tif 000006
【００５２】
　図１２に示すように、上記式（８）から式（１０）に含まれる電圧Ｖopは走査信号の振幅値に相当し、電圧Ｖxは電圧Ｖ1と電圧Ｖ2との差（あるいは電圧Ｖm1と電圧Ｖm2との差）の絶対値に相当する。そして、この駆動方法におけるバイアス数ａは、ａ＝Ｖop／Ｖxとして定義される。したがって、バイアス比（１／ａ）はＶx／Ｖopとして与えられる。また、デューティ数Ｎは、４本のコモン電極２１が同時に選択される期間の時間長と１フィールドの時間長との比（１フレームにおいて４本のコモン電極２１が同時に選択される期間の時間長の総和と１フレームの時間長との比と捉えても同様である）として定義される。
【００５３】
　この構成のもとでも、図７および図８を例にとって説明したのと同様に、バイアス数ａが小さくなるにつれてクロス部電圧実効値Ｖcrossも小さくなる。したがって、本駆動方法を採用した場合にも、デューティ数Ｎ（またはディーティ比）およびバイアス数ａ（またはバイアス比）を適宜に選定することによって、クロス部電圧実効値Ｖcrossをオフ時電圧実効値Ｖoffよりも小さくすることができる。そして、この条件を満たすように選定されたデューティ数Ｎおよびバイアス数ａのもとでサブ画素をオン状態またはオフ状態に駆動する構成とすれば、コモン電極２１と引廻し配線５７との交差部分Ｆにおけるクロスライン点灯を回避することができる。
【００５４】
＜Ｃ：変形例＞
　以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００５５】
＜Ｃ−１：変形例１＞
　上記実施形態においては、コモン電極２１と引廻し配線５７との交差部分Ｆの液晶４７に印加されるクロス部電圧実効値Ｖcrossがサブ画素をオフ状態とするときに当該サブ画素に印加されるオフ時電圧実効値Ｖoffよりも小さくする場合を想定したが、クロス部電圧実効値Ｖcrossをオフ時電圧実効値Ｖoffよりも大きい値とした場合であっても、クロス部電圧実効値Ｖcrossがオン時電圧実効値Ｖonよりも小さい値であれば、クロスライン点灯を抑制することができるという効果が得られる。
【００５６】
　ここで、液晶４７に対して電圧が印加されていない状態およびオフ状態において暗表示を行なう一方、オン状態において明表示を行なうノーマリーブラックモードが液晶装置１０において採用されている場合を想定すると、液晶４７に印加される電圧実効値と相対反射率（または相対透過率）との関係は図１３に示すものとなる。ここで、相対反射率とは、液晶装置１０に対して観察側から光を入射させたときに反射導電層３１１の表面において反射して観察側に出射する光量の最低値および最高値をそれぞれ０％および１００％として正規化したものである。同図に示すように、液晶４７の相対反射率は、オフ時電圧実効値Ｖoffが印加されたとき０％に近い値となり、オン時電圧実効値Ｖonが印加されたとき１００％に近い値となるように、印加される電圧実効値に応じて非線形に増加する。
【００５７】
　この図からも明らかなように、液晶４７に対する印加電圧実効値がオフ時電圧実効値Ｖoffよりも大きい値であったとしても、オン時電圧実効値Ｖonよりも小さい値であれば、このときの液晶の相対反射率は、液晶４７に対してオン時電圧実効値Ｖonが印加されたときの相対反射率よりも小さくなる。したがって、クロス部電圧実効値Ｖcrossがオン時電圧実効値Ｖonよりも小さければ、オン時電圧実効値Ｖonよりも大きい電圧実効値が交差部分Ｆの液晶４７に印加される場合と比較してクロスライン点灯を目立たなくすることができるという効果が得られる。
【００５８】
　このように、本発明においては、クロス部電圧実効値Ｖcrossがオン時電圧実効値Ｖonよりも小さい値であれば足り、必ずしもオフ時電圧実効値Ｖoffよりも小さい値である必要はない。換言すれば、交差部分Ｆに位置する液晶の相対反射率（相対透過率）が、オン状態にあるサブ画素の相対反射率（相対透過率）よりも低くなるようにクロス部電圧実効値Ｖcrossが選定されていればよいのである。もっとも、クロスライン点灯を適度に抑制するためには、クロス部電圧実効値Ｖcrossが、オン時電圧実効値Ｖonとオフ時電圧実効値Ｖoffの中間値である電圧実効値Ｖａ（図１３参照）よりも小さくなるように、デューティ比（１／Ｎ）およびバイアス比（１／ａ）が選定されていることが望ましい。
【００５９】
　ところで、クロス部電圧実効値Ｖcrossをオフ時電圧実効値Ｖoffよりも大きくした構成においては、クロスライン点灯の視認性を完全に排除するために、交差部分Ｆを覆う遮光層を観察側基板２０上に設けてもよい。図１４は、この遮光層の具体的な構成を示す平面図である。同図に示す遮光層２９は照射光の少なくとも一部を吸収する層状部材であり、基板面と垂直な方向からみたときにコモン電極２１と引廻し配線５７との交差部分Ｆと重なるように形成されている。このような遮光層２９は、例えばクロム（Ｃｒ）などの金属のほか、カーボンブラックや顔料といった黒色着色材を含む樹脂材料によって形成することができる。なお、遮光層２９の形状は、図１４に示した略長方形枠状に限られるものではない。すなわち、遮光層２９は、引廻し配線５７とコモン電極２１との交差部分Ｆを覆うものであれば足りる。また、ここではクロス部電圧実効値Ｖcrossをオフ時電圧実効値Ｖoffよりも大きくした駆動方法のもとで遮光層２９を設けた場合を想定したが、クロス部電圧実効値Ｖcrossがオフ時電圧実効値Ｖoffよりも小さい値とした駆動方法を採用した場合であっても、さらに遮光層２９を設けることによってクロスライン点灯の確実な回避を図る構成としてもよい。
【００６０】
＜Ｃ−２：変形例２＞
　上記実施形態および変形例においては、カラーフィルタ２５を備えたカラー表示可能な液晶装置１０を例示したが、カラーフィルタを備えずモノクロ表示のみを行なう液晶装置にも本発明を適用可能である。上記実施形態においては、オン時電圧実効値Ｖonおよびオフ時電圧実効値Ｖoffを、それぞれサブ画素をオン状態およびオフ状態とするときに当該サブ画素に印加される電圧実効値として定義したが、モノクロ表示のみを行なう液晶装置においては、コモン電極とセグメント電極との交差に対応する「画素（ドット）」をオン状態およびオフ状態とするときに当該画素に印加される電圧実効値が、それぞれオン時電圧実効値Ｖonおよびオフ時電圧実効値Ｖoffとして定義される。すなわち、本発明における「画素」は、液晶の配向方向が独立して変化させられる最小の単位を意味する。したがって、上記実施形態に示したようにカラー表示を行なう液晶装置においては、各色に対応する「サブ画素」が本発明における「画素」に相当する一方、モノクロ表示のみを行なう液晶装置においては電極の交差部分たる「画素」が本発明における「画素」に相当することとなる。
【００６１】
＜Ｃ−３：変形例３＞
　上記実施形態においては、観察側基板２０上に設けられたコモン電極２１が上下導通させられる構成を例示したが、背面側基板３０上に設けられたセグメント電極３１が上下導通させられる構成としてもよい。また、上記実施形態においては観察側基板２０上にコモン電極２１が設けられ、背面側基板３０にセグメント電極３１が設けられた構成としたが、これとは逆に、観察側基板２０上にセグメント電極３１が設けられて背面側基板３０上にコモン電極２１が設けられた構成としてもよい。すなわち、本発明における「第１電極」および「第２電極」は、上記実施形態に示したコモン電極２１およびセグメント電極３１のいずれに相当するものであってもよい。また、本発明においては、「第１基板」および「第２基板」のいずれが観察側（または背面側）に位置するものであってもよい。
【００６２】
＜Ｄ：電子機器＞
　次に、本発明に係る液晶装置を表示装置として採用した電子機器について説明する。
【００６３】
＜Ｄ−１：モバイル型コンピュータ＞
　まず、本発明に係る液晶装置を、可搬型のパーソナルコンピュータ（いわゆるノート型パソコン）の表示部に適用した例について説明する。図１５は、このパーソナルコンピュータの構成を示す斜視図である。同図に示すように、パーソナルコンピュータ９１は、キーボード９１１を備えた本体部９１２と、本発明に係る液晶装置を適用した表示部９１３とを備えている。
【００６４】
＜Ｄ−２：携帯電話機＞
　続いて、本発明に係る液晶装置を、携帯電話機の表示部に適用した例について説明する。図１６は、この携帯電話機の構成を示す斜視図である。同図に示すように、携帯電話機９２は、複数の操作ボタン９２１のほか、受話口９２２、送話口９２３とともに、本発明に係る液晶装置を適用した表示部９２４を備える。
【００６５】
　なお、本発明に係る液晶装置を適用可能な電子機器としては、図１５に示したパーソナルコンピュータや図１６に示した携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、あるいは本発明に係る液晶装置をライトバルブとして用いたプロジェクタなどが挙げられる。
【図面の簡単な説明】
【００６６】
【図１】本発明の実施形態に係る液晶装置の構成を示す平面図である。
【図２】同液晶装置の構成を示す断面図である。
【図３】同液晶装置のシール材近傍の構成を拡大して示す平面図である。
【図４】同液晶装置のシール材近傍の構成を示す断面図である。
【図５】第１の駆動方法においてコモン電極に供給される走査信号の波形を示すタイミングチャートである。
【図６】同駆動方法におけるバイアス数の定義を説明するための図である。
【図７】同液晶装置におけるデューティ数Ｎおよびバイアス数ａと、オン時電圧実効値Ｖon、オフ時電圧実効値Ｖoffおよびクロス部電圧実効値Ｖcrossとの関係を表す表である。
【図８】同液晶装置におけるデューティ数Ｎおよびバイアス数ａと、オン時電圧実効値Ｖon、オフ時電圧実効値Ｖoffおよびクロス部電圧実効値Ｖcrossとの関係を示すグラフである。
【図９】第２の駆動方法においてコモン電極に供給される走査信号の波形を示すタイミングチャートである。
【図１０】同駆動方法におけるバイアス数の定義を説明するための図である。
【図１１】第３の駆動方法においてコモン電極に供給される走査信号の波形を示すタイミングチャートである。
【図１２】同駆動方法におけるバイアス数の定義を説明するための図である。
【図１３】液晶の電圧／反射（透過）率特性を示すグラフである。
【図１４】本発明の変形例に係る液晶装置の遮光層の構成を示す平面図である。
【図１５】本発明に係る液晶装置を採用した電子機器の一例たるパーソナルコンピュータの構成を示す斜視図である。
【図１６】本発明に係る液晶装置を採用した電子機器の一例たる携帯電話機の構成を示す斜視図である。
【図１７】従来の液晶装置の構成を示す平面図である。
【符号の説明】
【００６７】
１０……液晶装置
２０……観察側基板（第１基板）
２１……コモン電極（第１電極）
３０……背面側基板（第２基板）
３１……セグメント電極（第２電極）
２９……遮光層
４０……シール材
４７……液晶
５０……駆動用ＩＣチップ（駆動回路）
５５，５７（５７１，５７２）……引廻し配線
【図１】
2004133438.tif 000007
【図２】
2004133438.tif 000008
【図３】
2004133438.tif 000009
【図４】
2004133438.tif 000010
【図５】
2004133438.tif 000011
【図６】
2004133438.tif 000012
【図７】
2004133438.tif 000013
【図８】
2004133438.tif 000014
【図９】
2004133438.tif 000015
【図１０】
2004133438.tif 000016
【図１１】
2004133438.tif 000017
【図１２】
2004133438.tif 000018
【図１３】
2004133438.tif 000019
【図１４】
2004133438.tif 000020
【図１５】
2004133438.tif 000021
【図１６】
2004133438.tif 000022
【図１７】
2004133438.tif 000023